(57)【特許請求の範囲】
【請求項１】
ドライブユニット、ウインドーガラス及びケーブルに結合されたドライバ用のガイドレール、及びケーブル用のガイド溝すなわち支持溝を有するケーブル偏向プーリーを備えたケーブルウインドーリフタであって、
少なくとも一つのケーブル偏向プーリー（10）にはケーブル偏向プーリーの一部を成すアセンブリ溝（14）が設けられ、アセンブリ溝はその軸方向に沿って支持溝（12）に並置されるとともにケーブル偏向プーリー（10）の軸（15）を取り囲む環状形状を有し、さらに、支持溝（12）から離間した領域（16）と支持溝（12）に隣接した領域（17）とを有しているケーブルウインドーリフタ。
【請求項２】
支持溝（12）と支持溝（12）に隣接するアセンブリ溝（14）の領域（17）との間には遷移領域（23）が設けられている請求項１に記載のケーブルウインドーリフタ。
【請求項３】
遷移領域（23）において、アセンブリ溝（14）のウェブ（20,21）が支持溝（12）に向かって傾斜され、アセンブリ溝（14）と支持溝（12）との間のウェブ（21）が分断されている請求項２に記載のケーブルウインドーリフタ。
【請求項４】
アセンブリ溝（14）の環状形状が凸状の辺を有する三角形形状を有している請求項１から３のいずれか一項に記載のケーブルウインドーリフタ。
【請求項５】
三角形の頂点が丸められている請求項４に記載のケーブルウインドーリフタ。
【請求項６】
アセンブリ溝（14）の環状形状が二等辺三角形であり、その底辺が支持溝（12）から離間した領域（16）を形成し、三角形の等辺に挟まれた頂点が支持溝（12）に隣接する領域（17）を形成している請求項４又は５に記載のケーブルウインドーリフタ。
【請求項７】
アセンブリ溝（14）のウェブ（20,21）が支持溝（12）に向かって傾斜され、それによって、ケーブル（４）用のアセンブリ溝（14）内には少なくとも一つの把持領域が形成されている請求項１から６のいずれか一項に記載のケーブルウインドーリフタ。
【請求項８】
ケーブル偏向プーリー（10）の少なくとも一つのサイドには、係合部材（18,19）が設けられており、この係合部材に対して対応する形状のツールがキー結合によって係合されるようになっている請求項１から７のいずれか一項に記載のケーブルウインドーリフタ。
【請求項９】
係合部材がケーブル偏向プーリー（10）の軸（15）と周縁との間に配置された複数のウェブ状のスポーク（18）から形成されている請求項８に記載のケーブルウインドーリフタ。
【請求項１０】
ケーブル偏向プーリー（10）が円筒状のベース部材（11）を有し、アセンブリ溝（14）がベース部材（11）の軸方向の両側に設けられている請求項１から９のいずれか一項に記載のケーブルウインドーリフタ。
【請求項１１】
ケーブルウインドーリフタの全てのケーブル変更プーリーにアセンブリ溝（14）が設けられている請求項１から10のいずれか一項に記載のケーブルウインドーリフタ。
【発明の詳細な説明】
発明の説明
本発明は、請求項１の導入部に記載されているようなケーブルウインドーリフタに関する。
単ストランド又は多ストランドケーブルウインドーリフタは、特に、自動車用のものが知られている。このようなリフタは、手動式又は動力式のドライブ及びドライブドラムを有するドライブユニット、ウインドーガラスに結合されている一つ又は複数のドライバ用の一つ又は複数のガイドレール、及びドライブドラムに巻かれたケーブル、及び幾つかのケーブル偏向プーリーを有する。ケーブル偏向プーリーはガイド溝すなわち支持溝を有し、ケーブルがこの溝内に案内され、偏向される。
図１はドライバ６に取り付けられているウインドーガラス７を昇降させるための単ストランドケーブルウインドーリフタの例を示している。ドライバ６はケーブル４に連結され、ガイドレール５上に移動可能に取り付けられている。ケーブル４はドライブユニット１のケーブルドラム３に巻かれている。図示の形態においては、ドライブユニット１は駆動要素として電動モータ２を有する。ケーブル偏向プーリー8,9がガイドレール５の端部に取り付けられ、ケーブル４を偏向させる。ケーブル４は、ガイドレール５の領域内において、ガイドレール５に平行にケーブルドラム３に向かってガイドされる。そこで、ケーブル４はケーブルドラム３に一回又は複数回巻かれ、そこに連結される。ケーブルドラム３が一方向又はその逆方向に回転すると、ドライバ６がガイドレール上でウインドーガラス７とともに昇降される。
図２はケーブル偏向プーリー８を拡大図で示している。このケーブル偏向プーリー８は図１においてガイドレール５の上端部に取り付けられている方のケーブル偏向プーリーである。このケーブル偏向プーリー８は軸方向のボア80を有し、このボアがガイドレール５又はガイドレール５に結合された固定部材に設けられた軸に対してはめ込まれている。幾つかのウェブ81によって、軸方向のボア80が形成されている方の壁部材がケーブル４を案内して偏向させるためのガイド溝すなわち支持溝82が形成されている方の壁部材に連結されている。
ケーブル４はケーブルドラム３又はその端部にポジティブロッキング部材を介して摩擦係合によって結合されている。ケーブル４はケーブルウインドーリフタの「弛緩」状態においては弛みを有し、この弛みによって、ドライバ６ひいてはウインドーガラス７の非制限作動状態がもたらされ、著しいノイズの発生やシステムの機能不全の原因となる急速な材料疲労が起こる。ケーブルの弛みをなくすために、ケーブルは緊張状態にされ、その状態、すなわち、所定のケーブル長さを維持した状態、又はバネ部材を配置した状態で、図１に示されるケーブル偏向プーリー8,9に掛けられる。
ケーブル４を図１に示されているケーブル偏向プーリー8,9のガイド溝に容易に挿入するために、ケーブル偏向プーリーの少なくとも一方に図２に示されるようなノッチ83を形成することが知られている。この場合、ノッチにケーブル４を挿入した後にケーブル偏向プーリー８をさらに回転させることによって、ケーブルがガイド溝82内に導入される。
しかしながら、ノッチ83にケーブル４を挿入する際にケーブルの角度が鋭角的になるため、ケーブルが割れたり捩れたりして損傷を受ける危険性が生じる。このケーブル領域はケーブル偏向プーリーの偏向領域内で常に動くため、最初に損傷を受けたケーブルはこの領域で破断する危険性もある。
さらに、次のような欠点もある。それは、ケーブルの取り付けに際して、リストの回転を伴う不自然な一連の動作と、多くの労力とが必要とされ、作業者が疲れやすく、リストを故障しやすい点である。
さらに、このようなケーブルの取り付け方法は手間のかかる方法である。それは、第一に、ノッチ83が取り付けに適した位置に位置決めされなくてはならず、ケーブルが大きな力を加えながらガイド溝内に挿入されなくてはならないからである。
本発明の目的は、ケーブルを損傷させることなくケーブル偏向プーリーのガイド溝内に円滑に確実に挿入でき、さらには、自然な一連の動作かつ最小の労力でケーブルを導入できるとともに操作時間を短縮できるようなタイプのケーブル偏向プーリーを開発することである。
この目的は請求項１に記載されている本発明の特徴によって達成されている。
本発明による解決法によれば、ケーブルをケーブル偏向プーリーのガイド溝すなわち支持溝内へ導入する際にケーブルが直角に曲げられることがない。これは、ケーブルの引き込み導入が、非緊張状態又はわずかな緊張状態から緊張状態へと連続的に行われ、また、自然な一連の動作かつ最小の労力で短時間でケーブルを導入できるからである。
支持溝とその支持溝に隣接するアセンブリ溝の領域との間に遷移領域を設けることによって、ケーブルをアセンブリ溝から支持溝へと抵抗なく確実に導入することができる。
アセンブリ溝のサイドウェブが遷移領域においてガイド溝の方向に連続的に傾斜され、また、アセンブリ溝と支持溝との間に位置するウェブには切除部が形成されている結果、アセンブリ溝から支持溝へのケーブルの移動がさらに容易になっている。
好ましくは、アセンブリ溝は凸状の辺を有するとともに頂点が丸められている三角形形状（球面三角形を平面上に投影した形状）を有する。
アセンブリ溝がこのような形状を有するため、アセンブリ溝内に挿入されたケーブルは、それが三角形形状のアセンブリ溝の三角形の一つの頂点を通過するまでのわずかな距離だけ引っ張られたときに、ケーブル偏向プーリーに把持される。ここで、ケーブルはわずかに曲げられ、増大した摩擦力によって小さいコーナー部分に導入され、遷移領域を経て支持溝へと導入される。
好ましい実施の形態においては、アセンブリ溝は丸められた頂点を有するほぼ二等辺三角形形状を有する。そして、その底辺がケーブル偏向プーリーの軸の近傍に配置され、それに対向する頂点が遷移領域すなわち支持溝内へと連続している。
アセンブリ溝内にケーブル用の把持領域が別途設けられているため、操作中におけるケーブルとケーブル偏向プーリーとの間の摩擦係合が増大し、支持溝内へのケーブルの導入が容易になる。
本発明による解決法のさらに別の構成は請求項８から11の特徴から明らかである。
本発明の思想は、図面に示されている本発明の実施の形態を参照することによってさらに詳細に説明される。図面の内容は以下の通りである。
図１は、単ストランドのケーブルウインドーリフタの個々の部材を示す概略図である。
図２は、従来技術におけるケーブル偏向プーリーの拡大図である。
図３は、アセンブリ及びガイド溝を備えた本発明のケーブル偏向プーリーの平面図である。
図４は、図３のケーブル偏向プーリーの矢印IV方向から見た図である。
図５は、図３のケーブル偏向プーリーのＶ−Ｖ線断面図である。
図６は、本発明によって形成されたケーブル偏向プーリーの斜視図である。
図３において平面図で示され、図４において端面図で示され、図５において断面図で示され、さらに図６において斜視図で示されているケーブル偏向プーリー10は、円筒状のベース部材11を有している。このベース部材11には、軸すなわち軸方向のボア15、及び円筒状の壁に形成された周方向の支持溝12が設けられている。溝12はケーブルを偏向領域内に保持する機能を有する。この溝12はウェブ21,22によって限定されている。アセンブリ本体13が円筒状のベース部材11の一方のサイドに取り付けられている。アセンブリ本体は二等辺三角形形状を有し、三角形の各辺は外側へ膨らんでおり、各頂点は丸められている。アセンブリ本体13の周縁部にはアセンブリ溝14が形成されている。このアセンブリ溝は、図４に示されるように、そのサイドにおいてウェブ20,21によって限定されている。
二等辺三角形の底辺16は軸15のに近接して配置され、アセンブリ本体13の二等辺三角形の底辺に対向する頂点17はベース部材11の外周縁上に位置している。そして、アセンブリ溝14は遷移領域23を経て支持溝12に連続している。
アセンブリ溝14を限定しているウェブ20は、支持溝12に向かう領域200において遷移領域23内へと傾斜されている。同様に、アセンブリ溝14を支持溝12から分離しているウェブ21は、遷移領域23において分離されている領域210において傾斜されている。
ケーブルを支持溝12内にフィットさせて導入するために、ケーブルはアセンブリ本体13の二等辺三角形の底辺16の領域においてアセンブリ溝14内に配置される。この場合において、ケーブルのループは軸15に近接しているために短くされている。ケーブルを一方向又はその反対方向に引っ張ることによって、又はケーブルウインドーリフタのドライブユニットを回すことによって、ケーブルはケーブル偏向プーリー10を駆動させ、二等辺三角形の頂点において若干曲げられる。その際、断面積が小さく設定されている結果として、ケーブルとアセンブリ溝14との間で摩擦係合が増大する。また、ケーブルは二等辺三角形の二つの辺の一方の上に配置され、遷移領域23において、支持溝12内へと引き込まれる。ケーブルが取り付けられた状態においては、ケーブル偏向プーリーの支持溝は一つの面内にあるので、ケーブルはアセンブリ溝へと戻ることなくこの位置に留まる。
アセンブリ溝14を好ましい形状にすることによって、すなわち、特別な把持領域を設けることによって、ケーブルの取り付け中において、ケーブルとアセンブリ溝14との間の摩擦係合が増大し、ケーブルの支持溝12内への導入が容易になっている。
本発明の範囲内において、次のような変形も可能である。つまり、ケーブル偏向プーリー10を回転させることによって、ケーブルがアセンブリ溝14から支持溝12内へと導入されるようにしてもよい。その場合、例えば、ケーブル偏向プーリーの端部サイドにウェブ18によって限定された孔19が設けられ、この孔に対して対応する形状のツールがキー結合によって係合される。このツールをてこの作用で回転させることによって、ケーブル偏向プーリーが所定の方向に回転させられ、ケーブルが支持溝12内に導入される。
しかしながら、フィッティングを容易にするために、ケーブルに張力を適宜付与して、それによって、ケーブルがアセンブリ溝14から遷移領域23を経て支持溝12内へ導入されるようにしてもよい。フィッティングをさらに容易にするために、アセンブリ本体13をベース部材11の両サイドに取り付け、ケーブル偏向プーリー10のどちら側からでもケーブルのフィッティングができるようにしてもよい。
ケーブルの対応する形状及びケーブルウインドーリフタの形状に関して、幾つかのケーブル偏向プーリーの一つが本発明による構成を有していれば十分であり、他のケーブル偏向プーリーは取り付け補助機構を有する必要はない。しかしながら、組み付け時間を短縮化するとともにフィッティングの容易化を図るために、全てのケーブル偏向プーリーに本発明の取り付け補助機構を採用してもよい。
【図１】
0003556677.tif 000002
【図２】
0003556677.tif 000003
【図３】
0003556677.tif 000004
【図４】
0003556677.tif 000005
【図５】
0003556677.tif 000006
【図６】
0003556677.tif 000007